(57)【要約】      （修正有）【課題】電子装置及びそのハウジング、ブラケット組立並びにブラケットを提供する。【解決手段】本考案の電子装置は、外部１０１を有するハウジングを備える。また、外部１０１は、中心点を有する少なくとも１つの平面と、前記中心点以外の位置に位置される回転支点１０１２と、第一フック構造を有する第一ハンガー１０１３と、第二フック構造を有する第二ハンガー１０１４とを更に備える。第一ハンガー１０１３及び第二ハンガー１０１４は共に回転支点１０１２との第一距離を有する。【選択図】図３（ｄ）
0003215676.tif 000002
【実用新案登録請求の範囲】
【請求項１】
外部を有するハウジングを備える電子装置であって、
前記外部は、
中心点を有する少なくとも１つの平面と、
前記中心点以外の位置に位置される回転支点と、
第一フック構造を有する第一ハンガーと、
第二フック構造を有する第二ハンガーであって、前記第一ハンガー及び前記第二ハンガーは共に前記回転支点との第一距離を有し、前記回転支点は前記平面上での前記第一距離に基づいて第一円周を有する第一円形を描写させ、且つ前記第一ハンガー及び前記第二ハンガーは前記第一円周上に設置される前記第二ハンガーと、
前記回転支点との距離が前記第一距離に等しいかそれより大きい位置に設置される取り外し可能バックルであって、前記回転支点、前記第一ハンガー、前記第二ハンガー、及び前記取り外し可能バックルの設置位置により共平面の四辺形が形成される前記取り外し可能バックルと、
を含むことを特徴とする、電子装置。
【請求項２】
ブラケットを更に備え、
前記ブラケットは対応し合う第一面及び第二面を含み、且つ前記ブラケットには前記回転支点、前記取り外し可能バックル、前記第一ハンガー、及び前記第二ハンガーに対応する位置にスロットが設けられ、前記第一面は固着物に固定され、
前記ハウジングは前記回転支点を円心とし、回転方式により前記ハウジングの前記少なくとも１つの平面及び前記ブラケットの前記第二面を固定させるように係合させ、
前記取り外し可能バックルは前記少なくとも１つの平面及び前記第二面が固定されるように係合された後に前記少なくとも１つの平面と前記第二面との間での相対移動を防止させるために用いられ、
前記回転支点は突出構造を更に有することを特徴とする、
請求項１に記載の電子装置。
【請求項３】
前記第一ハンガー及び前記第二ハンガーは前記第一円周上で対称になる位置に位置されることを特徴とする、
請求項１に記載の電子装置。
【請求項４】
前記取り外し可能バックル及び前記回転支点は前記平面の中心点の両側にそれぞれ位置されることを特徴とする、
請求項１に記載の電子装置。
【請求項５】
第三フック構造を有する第三ハンガーを更に備え、
前記第三ハンガー及び前記回転支点は第二距離を有し、前記第二距離は前記第一距離とは等しくなく、
前記回転支点は前記平面上での前記第二距離に基づいて第二円周を有する第二円形を描写させ、
前記第三ハンガーは前記第二円周上に設置されることを特徴とする、
請求項１に記載の電子装置。
【請求項６】
第四フック構造を有する第四ハンガーを更に備え、
前記第四ハンガーは前記第二円周上に設置されることを特徴とする、
請求項５に記載の電子装置。
【請求項７】
ブラケットを更に備え、
前記ブラケットは前記第三ハンガー及び前記第四ハンガーに対応する位置にスロットを有することを特徴とする、
請求項６に記載の電子装置。
【請求項８】
前記第三ハンガー及び前記第四ハンガーは前記第二円周上で対称になるように位置されることを特徴とする、
請求項６に記載の電子装置。
【請求項９】
前記第一距離は前記第二距離より大きいことを特徴とする、
請求項５に記載の電子装置。
【請求項１０】
外部を有するハウジングを備える電子装置であって、
前記外部は、
中心点を有する少なくとも１つの平面と、
前記中心点以外の位置に位置される回転支点と、
第一フック構造を有する第一ハンガーと、
第二フック構造を有する第二ハンガーであって、前記第一ハンガー及び前記第二ハンガーは共に前記回転支点との第一距離を有する前記第二ハンガーと、
を含むことを特徴とする、電子装置。
【請求項１１】
ブラケットを更に備え、
前記外部は取り外し可能バックルを更に備え、
前記回転支点は前記平面上での前記第一距離に基づいて第一円周を有する第一円形を描写させ、
前記第一ハンガー及び前記第二ハンガーは前記第一円周に設置され、
前記取り外し可能バックルは前記回転支点との距離が前記第一距離に等しいかそれより大きい位置に設置され、且つ前記回転支点、前記第一ハンガー、前記第二ハンガー、及び前記取り外し可能バックルの設置位置により共平面の四辺形が形成され、
前記ブラケットは対応し合う第一面及び第二面を含み、且つ前記ブラケットは前記回転支点、前記取り外し可能バックル、前記第一ハンガー、及び前記第二ハンガーに対応する位置にスロットを具備し、前記第一面は固着物に固定され、
前記ハウジングは前記回転支点を円心として、回転方式により前記ハウジングの前記少なくとも１つの平面及び前記ブラケットの前記第二面を固定させるように係合させ、
前記取り外し可能バックルは前記少なくとも１つの平面及び前記第二面が固定されるように係合された後、前記ハウジングが取り外される前に、前記少なくとも１つの平面と前記第二面との間の相対移動を防止させるために用いられることを特徴とする、
請求項１０に記載の電子装置。
【請求項１２】
中心点を有する外平面と、
前記外平面上に設置され、且つ前記中心点とは相違する回転支点と、
各組が１つまたは２つのフック構造を具備する複数組のハンガーであって、各組のハンガーが具備する各前記フック構造及び前記回転支点は特定の距離を有する前記ハンガーと、
を備えることを特徴とする、電子装置に適用するハウジング。
【請求項１３】
表面を有する電子装置のハウジングと、
前記表面に形成される第一係合部材と、
前記表面に形成される第二係合部材であって、前記第一係合部材及び前記第二係合部材は特定の円周軌道上に位置される前記第二係合部材と、
固着物に固着させるために用いられるブラケットと、
前記ブラケットに形成され、且つ前記第一係合部材と共に第一対の係合部材組立を形成させる第三係合部材と、
前記ブラケットに形成され、且つ前記第二係合部材と共に第二対の係合部材組立を形成させる第四係合部材と、
を備えることを特徴とする、ブラケット組立。
【請求項１４】
取り外し可能バックル、第五係合部材、及び回転支点を更に備え、
前記取り外し可能バックルは前記表面に形成され、
前記第五係合部材は前記ブラケットに形成され、前記取り外し可能バックル及び前記第五係合部材により第三対の係合部材組立が形成され、
前記回転支点は前記表面に形成され、
前記第一係合部材及び前記第二係合部材は共に前記回転支点との第一距離を有し、
前記第一係合部材は第一フック構造を有し、
前記第二係合部材は第二フック構造を有し、
前記取り外し可能バックルは押圧された後に内縮する弾性ほぞを含み、
前記第三係合部材、前記第四係合部材、及び前記第五係合部材はそれぞれ前記第一フック構造、前記第二フック構造、及び前記弾性ほぞの第一スロット、第二スロット、第三スロットにそれぞれ係合され、且つ前記固着物は壁または天井であることを特徴とする、
請求項１３に記載のブラケット組立。
【請求項１５】
前ハウジングと、
前記前ハウジングと共に閉鎖ハウジングを形成させ、且つ表面を有する後ハウジングと、
前記表面に形成される第一係合部材と、
前記表面に形成される第二係合部材であって、前記第一係合部材及び前記第二係合部材は特定の円周軌道上に位置される前記第二係合部材と、
を備えることを特徴とする、電子装置のハウジング。
【請求項１６】
第三係合部材を有する位置決め装置及び回転支点を更に備え、
前記位置決め装置及び前記回転支点は前記表面に形成され、
前記第一係合部材及び前記第二係合部材は共に前記回転支点との第一距離を有し、
ブラケットは対応し合う第一面及び第二面を有し、前記第一面は固着物に固定され、前記電子装置のハウジングは前記第二面に固結され、
前記第一係合部材は第一フック構造を有し、
前記第二係合部材は第二フック構造を有し、
前記第三係合部材は押圧された後に内縮される弾性ほぞであり、前記第二面は前記第一フック構造、前記第二フック構造、及び前記弾性ほぞに対応するように係合される第一スロット、第二スロット、第三スロットを有することを特徴とする、
請求項１５に記載の電子装置のハウジング。
【請求項１７】
固着物に固着させるために用いられるブラケット本体と、
前記ブラケット本体に形成される第一係合部材と、
前記ブラケット本体に形成される第二係合部材であって、前記第一係合部材及び前記第二係合部材は特定の円周軌道上に位置される前記第二係合部材と、
を備えることを特徴とする、ブラケット。
【請求項１８】
第三係合部材を更に備え、
前記第一係合部材、前記第二係合部材、前記第三係合部材は第一スロット、第二スロット、第三スロットであり、
前記ブラケットは電子装置のハウジングを固装させるために用いられ、
前記電子装置のハウジングは第一フック構造を有する第四係合部材と、第二フック構造を有する第五係合部材と、弾性ほぞを有する第六係合部材及び回転支点と、中心を有する表面とを備え、
前記第四係合部材、前記第五係合部材、前記第六係合部材、及び前記回転支点は前記表面に形成され、
前記第四係合部材及び前記第五係合部材は共に前記回転支点との第一距離を有し、
前記第六係合部材は位置決め装置であり、
前記第四係合部材、前記第五係合部材、及び前記第六係合部材は前記第一スロット、前記第二スロット、前記第三スロットにそれぞれ対応するように固結され、且つ前記回転支点及び前記中心は互いに重畳しないことを特徴とする、
請求項１７に記載のブラケット。
【考案の詳細な説明】
【技術分野】
【０００１】
本考案は、電子装置及びそのハウジング、ブラケット組立並びにブラケットに関し、更に詳しくは、電子装置及び電子装置を取り付ける回転式ブラケットに関する。
【背景技術】
【０００２】
従来、電子装置は通常天井または壁に固定されるように懸架される。
【考案の概要】
【考案が解決しようとする課題】
【０００３】
しかしながら、信号方向、視角、または接続方向などの要因のため、施工者が現場で懸架作業を行う際に、同一の方向に固設できず、方向を回転可能にする必要がある。ゆえに、回転式の電子装置のブラケットは、平行式の電子装置のブラケットに比べて施工が便利である。また、通常電子装置の重量配分は対称に平衡しているとは限らず、電子装置の回転支点も電子装置のハウジングの中心点に位置されているとは限らない。このため、施工が便利な電子装置のブラケットをどのように設計するかが非常に重要であった。
【０００４】
そこで、本考案者は上記の欠点が改善可能と考え、鋭意検討を重ねた結果、合理的設計で上記の課題を効果的に改善する本考案の電子装置及びそのハウジング、ブラケット組立並びにブラケットの提案に到った。
【課題を解決するための手段】
【０００５】
上述した課題を解決し、目的を達成するために、本考案は、電子装置及び前記電子装置をを取り付ける回転式ブラケットを提供することを主目的とする。すなわち、前記電子装置の回転支点が前記電子装置のハウジングの中心点に位置されず、前記ハウジングが第一ハンガー及び第二ハンガーを備える。前記第一ハンガー及び前記第二ハンガーは共に前記回転支点との第一距離を有し、回転方式により前記ブラケットの第一スロット及び第二スロットに対応するように係合され、施工者が前記電子装置の前記ハウジング及び前記ブラケットを容易に懸架及び係合可能になる。
【０００６】
本考案の他の目的は、電子装置を提供することにある。外部を有するハウジングを備える。また、前記外部は、中心点を有する少なくとも１つの平面と、前記中心点以外の位置に位置される回転支点と、第一フック構造を有する第一ハンガーと、第二フック構造を有する第二ハンガーであって、前記第一ハンガー及び前記第二ハンガーは共に前記回転支点との第一距離を有し、前記回転支点は前記平面上で前記第一距離に基づいて第一円周を有する第一円形を描写させ、且つ前記第一ハンガー及び前記第二ハンガーは前記第一円周上に設置されることと、前記回転支点との距離が前記第一距離に等しいかそれより大きい位置に設置される取り外し可能バックルとを更に備える。また、前記回転支点、前記第一ハンガー、前記第二ハンガー、及び前記取り外し可能バックルの設置位置により共平面の四辺形が形成される。
【０００７】
本考案のさらなる他の目的は、電子装置を提供することにある。外部を有するハウジングを備える。また、前記外部は、中心点を有する少なくとも１つの平面と、前記中心点以外の位置に位置される回転支点と、第一フック構造を有する第一ハンガーと、第二フック構造を有する第二ハンガーとを更に備える。前記第一ハンガー及び前記第二ハンガーは共に前記回転支点との第一距離を有する。
【０００８】
本考案の別の目的は、電子装置に適用されるハウジングを提供することにある。中心点を有する外平面と、前記外平面に設置され、且つ前記中心点とは相違する回転支点と、各組が１つまたは２つのフック構造を具備する複数組のハンガーとを備える。各組のハンガーが具備する各前記フック構造及び前記回転支点は特定の距離を有する。
【０００９】
本考案の別の目的は、ブラケット組立を提供することにある。表面を有する電子装置のハウジングと、前記表面に形成される第一係合部材と、前記表面に形成される第二係合部材であって、前記第一係合部材及び前記第二係合部材は特定の円周軌道上に位置されることと、固着物に固着させるために用いられるブラケットと、前記ブラケットに形成され、且つ前記第一係合部材と共に第一対の係合部材組立を形成させる第三係合部材と、前記ブラケットに形成され、且つ前記第二係合部材と共に第二対の係合部材組立を形成させる第四係合部材とを備える。
【００１０】
本考案の又別の目的は、電子装置用ハウジングを提供することにある。前ハウジングと、前記前ハウジングと共に閉鎖ハウジングを形成させ、且つ表面を有する後ハウジングと、前記表面に形成される第一係合部材と、前記表面に形成される第二係合部材とを備える。前記第一係合部材及び前記第二係合部材は特定の円周軌道上に位置される。
【００１１】
本考案の又別の目的は、ブラケットを提供することにある。固着物に固着させるために用いられるブラケット本体と、前記ブラケット本体に形成される第一係合部材と、前記ブラケット本体に形成される第二係合部材とを備える。前記第一係合部材及び前記第二係合部材は特定の円周軌道上に位置される。
【考案の効果】
【００１２】
本考案によれば、施工者は電子装置に係合されるブラケット構造または壁掛け構造を容易に懸架可能になる。
【図面の簡単な説明】
【００１３】
【図１（ａ）】本考案の第１実施形態に係る電子装置が１時の方向に位置する外観斜視図である。
【図１（ｂ）】本考案の第１実施形態に係る電子装置が２時の方向に位置する外観斜視図である。
【図１（ｃ）】本考案の第１実施形態に係る電子装置が３時の方向に位置する外観斜視図である。
【図１（ｄ）】本考案の第１実施形態に係る電子装置が４時の方向に位置する外観斜視図である。
【図２】本考案の第２実施形態に係る電子装置のハウジングの外部の上面図である。
【図３（ａ）】本考案の第３実施形態に係る電子装置のハウジングの外部の上面図である。
【図３（ｂ）】本考案の第３実施形態に係る電子装置のブラケットの上面図である。
【図３（ｃ）】図３（ｂ）に示した前記ブラケットの第一スロット乃至第四スロットのそれぞれの第一端が図３（ａ）に示した前記外部の第一乃至第四フック構造に対応するように係合する上面図である。
【図３（ｄ）】は図３（ｂ）に示した前記ブラケットの第一スロット乃至第四スロットのそれぞれの第二端及び第五スロットが図３（ａ）に示した前記外部の第一乃至第四フック構造に対応するように係合する上面図である。
【図４（ａ）】本考案の第４実施形態に係るブラケットの第一スロット乃至第四スロットのそれぞれの第一端が電子装置のハウジングの外部の第一乃至第四フック構造に対応するように係合する上面図である。
【図４（ｂ）】本考案の第４実施形態に係るブラケットの第一スロット乃至第四スロットのそれぞれの第二端及び第五スロットが電子装置のハウジングの外部の第一乃至第四フック構造及び取り外し可能バックルに対応するように係合する上面図である。
【考案を実施するための形態】
【００１４】
以下、図面を参照しつつ、本考案に係る電子装置及びそのハウジング、ブラケット組立並びにブラケットについて具体的に説明する。尚、以下に説明する実施の形態は、実用新案登録請求の範囲に記載された本考案の内容を限定するものではない。また、以下に説明される構成の全てが、本考案の必須要件であるとは限らない。
【００１５】
次に、図１（ａ）〜４（ｂ）を参照しながら、本考案をさらに詳しく説明する。図１（ａ）は本考案の第１実施形態に係る電子装置が１時の方向に位置する外観斜視図であり、図２は本考案の第２実施形態に係る電子装置のハウジングの外部の上面図であり、図３（ａ）は本考案の第３実施形態に係る電子装置のハウジングの外部の上面図であり、図３（ｂ）は本考案の第３実施形態に係る電子装置のブラケットの上面図であり、図３（ｄ）は図３（ｂ）に示した前記ブラケットの第一スロット乃至第四スロットのそれぞれの第二端及び第五スロットが図３（ａ）に示した前記外部の第一乃至第四フック構造に対応するように係合する上面図であり、図４（ａ）は本考案の第４実施形態に係るブラケットの第一スロット乃至第四スロットのそれぞれの第一端が電子装置のハウジングの外部の第一乃至第四フック構造に対応するように係合する上面図である。
【００１６】
図１（ａ）に示されるように、前記電子装置１は、外部１０１を有するハウジング１０を備え、且つ前記外部１０１は、中心点１０１１１（図２参照）を有する少なくとも１つの平面１０１１（図２参照）と、前記中心点１０１１１以外の位置に位置される回転支点１０１２と、第一フック構造１０１３１（図３（ａ）参照）を有する第一ハンガー１０１３と、第二フック構造１０１４１（図３（ａ）参照）を有する第二ハンガー１０１４であって、前記第一ハンガー１０１３及び前記第二ハンガー１０１４は共に前記回転支点１０１２との第一距離を有し、前記回転支点１０１２は前記平面１０１１上での前記第一距離に基づいて第一円周を有する第一円形（図４（ａ）参照）を描写させ、且つ前記第一ハンガー１０１３及び前記第二ハンガー１０１４は前記第一円周上（図４（ａ）参照）に設置されることと、前記回転支点１０１２との距離が前記第一距離に等しいかそれより大きい位置に設置される（図２及び図４（ａ）参照）取り外し可能バックル１０１７とを含む。図２において、前記取り外し可能バックル１０１７は前記中心点１０１１１と前記第一ハンガー１０１３及び前記第二ハンガー１０１４とで形成される円周、及び前記中心点１０１１１と前記第三ハンガー１０１５及び前記第四ハンガー１０１６とで形成される円周以外に位置され、前記取り外し可能バックル１０１７と前記回転支点１０１２との距離は前記第一距離よりもずっと大きい。前記取り外し可能バックル１０１７と前記回転支点０１２との間には相対的に長いトルクを有し、前記電子装置の前記ハウジング１０及び前記ブラケット１１が固装された後の相対移動を防止させる。前記回転支点１０１２、前記第一ハンガー１０１３、前記第二ハンガー１０１４、及び前記取り外し可能バックル１０１７の設置位置により共平面の四辺形が形成される。
【００１７】
図１（ａ）に示した前記電子装置１は、ブラケット１１を更に備える。前記ブラケット１１は対応し合う第一面及び第二面を含み、且つ前記ブラケット１１には前記回転支点１０１２、前記取り外し可能バックル１０１７、前記第一ハンガー１０１３、及び前記第二ハンガー１０１４に対応する位置にスロットが設置される（順に第六スロット１１６（図３（ｂ）参照）、第五スロット１１５、第一スロット１１１、第二スロット１１２となる）。前記第一面は固着物（図示せず、例えば、壁または天井）に固定され、前記ハウジング１０は前記回転支点１０１２を円心とし、回転方式により前記ハウジング１０の前記少なくとも１つの平面１０１１及び前記ブラケット１１の前記第二面を固定させるように係合させる。前記取り外し可能バックル１０１７は、前記少なくとも１つの平面１０１１及び前記第二面が固定されるように係合された後に前記少なくとも１つの平面１０１１と前記第二面との間の相対移動を防止させるために用いられる。また、前記回転支点１０１２は突出構造１０１２１を更に有する（図３（ｄ）参照）。前記第一ハンガー１０１３及び前記第二ハンガー１０１４は前記第一円周上で対称になる位置に位置される（図４（ａ）参照）。前記取り外し可能バックル１０１７及び前記回転支点１０１２は前記平面１０１１の中心点１０１１１の両側にそれぞれ位置される（図２参照）。
【００１８】
図１（ａ）に示した前記電子装置１は、第三フック構造１０１５１を有する（図３（ａ）参照）第三ハンガー１０１５を更に備える。前記第三ハンガー１０１５は前記回転支点１０１２との第二距離を有し、前記第二距離は前記第一距離とは等しくなく、前記回転支点１０１２は前記平面１０１１上での前記第二距離に基づいて第二円周を有する第二円形を描写させる（図４（ａ）参照）。図４（ａ）に示されるように、前記第一距離は前記第二距離より大きく、且つ前記第三ハンガー１０１５は前記第二円周上に設置される。前記電子装置１は、第四フック構造１０１６１を有する（図３（ａ）参照）第四ハンガー１０１６を更に備え、且つ前記第四ハンガー１０１６は前記第二円周上に設置される（図４（ａ）参照）。前記ブラケット１１は前記第三ハンガー１０１５及び前記第四ハンガー１０１６に対応する位置にスロットを更に含む（順に第三スロット１１３及び第四スロット１１４となる）。前記第三ハンガー１０１５及び前記第四ハンガー１０１６は前記第二円周上で対称になる位置に位置される（図４（ａ）参照）。
【００１９】
図１（ｂ）は本考案の第１実施形態に係る電子装置が２時の方向に位置する外観斜視図であり、図１（ｃ）は本考案の第１実施形態に係る電子装置が３時の方向に位置する外観斜視図であり、図１（ｄ）は本考案の第１実施形態に係る電子装置が４時の方向に位置する外観斜視図である。
【００２０】
図３（ｃ）は図３（ｂ）に示した前記ブラケットの第一スロット乃至第四スロットのそれぞれの第一端が図３（ａ）に示した前記外部の第一乃至第四フック構造に対応するように係合する上面図である。
【００２１】
図４（ｂ）は本考案の第４実施形態に係るブラケットの第一スロット乃至第四スロットのそれぞれの第二端及び第五スロットが電子装置のハウジングの外部の第一乃至第四フック構造及び取り外し可能バックルに対応するように係合する上面図である。
【００２２】
本考案の好ましい第５実施形態に係る電子装置１に適用されるハウジング１０は、中心点１０１１１を有する外平面１０１１と、前記外平面１０１１に設置され、且つ前記中心点１０１１１とは相違する回転支点１０１２と、各組が１つまたは２つのフック構造（例えば、第一フック構造１０１３１乃至第四フック構造１０１６１）を具備する複数組のハンガー（例えば、第一ハンガー１０１３乃至第四ハンガー１０１６）とをを備える。各組のハンガーが具備する各前記フック構造と前記回転支点１０１２とは特定の距離を有する（例えば、図１（ａ）、図２、図３（ａ）及び図４（ａ）参照）。
【００２３】
本考案の好ましい第６実施形態に係るブラケット組立は、表面１０１１を有する電子装置のハウジング１０と、前記表面１０１１に形成される第一係合部材（例えば、第一ハンガー１０１３）と、前記表面１０１１に形成される第二係合部材（例えば、第二ハンガー１０１４）であって、前記第一係合部材１０１３及び前記第二係合部材１０１４は特定の円周軌道上に位置されることと、固着物（図示せず、例えば、壁や天井）に固着させるために用いられるブラケット１１と、前記ブラケット１１に形成され、且つ前記第一係合部材１０１３と共に第一対の係合部材組立を形成させる第三係合部材（例えば、第一スロット１１１）と、前記ブラケット１１に形成され、且つ前記第二係合部材１０１４と共に第二対の係合部材組立（例えば、図１（ａ）、図２、図３（ａ）及び図４（ａ）参照）を形成させる第四係合部材（例えば、第二スロット１１２）とを備える。
【００２４】
本考案の好ましい第６実施形態に係る前記ブラケット組立は、取り外し可能バックル１０１７と、第五係合部材（例えば、第五スロット１１５）と、回転支点１０１２とを更に備える。前記取り外し可能バックル１０１７は前記表面１０１１に形成され、前記第五係合部材１１５は前記ブラケット１１に形成され、前記取り外し可能バックル１０１７及び前記第五係合部材１１５により第三対の係合部材組立が形成される。前記回転支点１０１２は前記表面１０１１に形成され、前記第一係合部材１０１３及び前記第二係合部材１０１４は共に前記回転支点１０１２との第一距離を有する。前記第一係合部材１０１３は第一フック構造１０１３１を有し、前記第二係合部材１０１４は第二フック構造１０１４１を有し、前記取り外し可能バックル１０１７は押圧された後に内縮する弾性ほぞ１０１７１を有する。前記第三係合部材１１１、前記第四係合部材１１２、及び前記第五係合部材１１５は前記第一フック構造１０１３１、前記第二フック構造件１０１４１、及び前記弾性ほぞ１０１７１の第一スロット、第二スロット、第三スロットにそれぞれ係合される（例えば、図１（ａ）、図２、図３（ａ）、図３（ｃ）及び図４（ａ）参照）。
【００２５】
本考案構想の好ましい第７実施形態に係る電子装置のハウジング１０は、前ハウジングと、前記前ハウジングと共に閉鎖ハウジング１０を形成させ、且つ表面１０１１を有する後ハウジングと、前記表面１０１１に形成される第一係合部材（例えば、第一ハンガー１０１３）と、前記表面１０１１に形成される第二係合部材（例えば、第二ハンガー１０１４）とを備える。前記第一係合部材１０１３及び前記第二係合部材１０１４は特定の円周軌道上に位置される（例えば、図１（ａ）、図２、図３（ａ）及び図４（ａ）参照）。
【００２６】
本考案の好ましい第７実施形態に係る前記電子装置のハウジング１０は、第三係合部材（例えば、前記弾性ほぞ１０１７１）を有する位置決め装置（例えば、前記取り外し可能バックル１０１７）及び回転支点１０１２を更に備える。前記位置決め装置１０１７及び前記回転支点１０１２は前記表面１０１１に形成され、前記第一係合部材１０１３及び前記第二係合部材１０１４は共に前記回転支点１０１２との第一距離を有する。ブラケット１１は対応し合う第一面及び第二面を有し、前記第一面は固着物（例えば、壁や天井）に固定される。前記電子装置のハウジング１０の前記後ハウジングは前記第二面に固結され、且つ前記電子装置のハウジング１０の前記前ハウジングは前記第二面から離間する他側に位置される。前記第一係合部材１０１３は第一フック構造１０１３１を有し、前記第二係合部材１０１４は第二フック構造１０１４１を有し、前記第三係合部材１０１７１は押圧された後に内縮する弾性ほぞ１０１７１である。前記第二面は前記第一フック構造１０１３１、前記第二フック構造１０１４１、及び前記弾性ほぞ１０１７１に対応するように係合される第一スロット、第二スロット、第三スロット（例えば、順に前記第一スロット１１１、前記第二スロット１１２、及び前記第五スロット１１５となり、図１（ａ）、図２、図３（ａ）、図３（ｃ）及び図４（ａ）参照）を有する。
【００２７】
本考案の好ましい第８実施形態に係るブラケット１１は、固着物（例えば、壁や天井）に固着させるために用いられるブラケット本体（例えば、図３（ｂ）中の第一スロット１１１乃至第六スロット１１６以外の部分）と、前記ブラケット本体に形成される第一係合部材（例えば、前記第一スロット１１１）と、前記ブラケット本体に形成される第二係合部材（例えば、前記第二スロット１１２）とを備える。前記第一係合部材１１１及び前記第二係合部材１１２は特定の円周軌道上に位置される（例えば、図１（ａ）、図３（ｂ）及び図４（ａ）参照）。
【００２８】
本考案の好ましい第８実施形態に係る前記ブラケット１１は、第三係合部材（例えば、第五スロット１１５）を更に備える。前記第一係合部材、前記第二係合部材、前記第三係合部材（１１１、１１２、及び１１５）は第一スロット、第二スロット、第三スロットであり、前記ブラケット１１は電子装置のハウジング１０を固装させるために用いられる。前記電子装置のハウジング１０は、第一フック構造１０１３１を有する第四係合部材（例えば、第一ハンガー１０１３）と、第二フック構造１０１４１を有する第五係合部材（例えば、第二ハンガー１０１４）と、弾性ほぞ１０１７１を有する第六係合部材（例えば、取り外し可能バックル１０１７）及び回転支点１０１２と、中心１０１１１を有する表面１０１１とを含む。前記第四係合部材１０１３、前記第五係合部材１０１４、前記第六係合部材１０１７、及び前記回転支点１０１２は前記表面１０１１に形成される。前記第四係合部材１０１３及び前記第五係合部材１０１４は共に前記回転支点１０１２との第一距離を有する。前記第六係合部材１０１７は位置決め装置であり、前記第四係合部材１０１３、前記第五係合部材１０１４、及び前記第六係合部材１０１７は前記第一スロット、前記第二スロット、前記第三スロット（１１１、１１２、及び１１５）にそれぞれ対応するように固結され、且つ前記回転支点１０１２及び前記中心１０１１１は互いに重畳しない（例えば、図１（ａ）、図２、図３（ｂ）、図３（ｃ）及び図４（ａ）参照）。
【実施形態】
【００２９】
［１］．本考案に係る電子装置は、外部を有するハウジングを備え、且つ前記外部は、
中心点を有する少なくとも１つの平面と、
前記中心点以外の位置に位置される回転支点と、
第一フック構造を有する第一ハンガーと、
第二フック構造を有する第二ハンガーであって、前記第一ハンガー及び前記第二ハンガーは共に前記回転支点との第一距離を有し、前記回転支点は前記平面上での前記第一距離に基づいて第一円周を有する第一円形を描写させ、且つ前記第一ハンガー及び前記第二ハンガーは前記第一円周上に設置されることと、
前記回転支点との距離が前記第一距離に等しいかそれより大きい位置に設置される取り外し可能バックルであって、前記回転支点、前記第一ハンガー、前記第二ハンガー、及び前記取り外し可能バックルの設置位置により共平面の四辺形が形成されることとを含む。
【００３０】
［２］．実施形態１に記載の電子装置によれば、ブラケットを更に備える。前記ブラケットは対応し合う第一面及び第二面を含み、且つ前記ブラケットには前記回転支点、前記取り外し可能バックル、前記第一ハンガー、及び前記第二ハンガーに対応する位置にスロットが設けられる。前記第一面は固着物に固定される。前記ハウジングは前記回転支点を円心とし、回転方式により前記ハウジングの前記少なくとも１つの平面及び前記ブラケットの前記第二面を固定させるように係合させる。前記取り外し可能バックルは前記少なくとも１つの平面及び前記第二面が固定されるように係合された後に前記少なくとも１つの平面と前記第二面との間での相対移動を防止させるために用いられる。また、前記回転支点は突出構造を更に有する。
【００３１】
［３］．実施形態１又は請求項２に記載の電子装置によれば、前記第一ハンガー及び前記第二ハンガーは前記第一円周上で対称になる位置に位置される。
【００３２】
［４］．上記のいずれかの実施形態に記載の電子装置によれば、前記取り外し可能バックル及び前記回転支点は前記平面の中心点の両側にそれぞれ位置される。
【００３３】
［５］．上記のいずれかの実施形態に記載の電子装置によれば、第三フック構造を有する第三ハンガーを更に備える。前記第三ハンガー及び前記回転支点は第二距離を有し、前記第二距離は前記第一距離とは等しくない。前記回転支点は前記平面上での前記第二距離に基づいて第二円周を有する第二円形を描写させ、且つ前記第三ハンガーは前記第二円周上に設置される。
【００３４】
［６］．上記のいずれかの実施形態に記載の電子装置によれば、第四フック構造を有する第四ハンガーを更に備え、且つ前記第四ハンガーは前記第二円周上に設置される。
【００３５】
［７］．上記のいずれかの実施形態に記載の電子装置によれば、ブラケットを更に備え、前記ブラケットは前記第三ハンガー及び前記第四ハンガーに対応する位置にスロットを有する。
【００３６】
［８］．上記のいずれかの実施形態に記載の電子装置によれば、前記第三ハンガー及び前記第四ハンガーは前記第二円周上で対称になるように位置される。
【００３７】
［９］．上記のいずれかの実施形態に記載の電子装置によれば、前記第一距離は前記第二距離より大きい。
【００３８】
［１０］．本考案に係る電子装置は、外部を有するハウジングを備え、且つ前記外部は、
中心点を有する少なくとも１つの平面と、
前記中心点以外の位置に位置される回転支点と、
第一フック構造を有する第一ハンガーと、
第二フック構造を有する第二ハンガーであって、前記第一ハンガー及び前記第二ハンガーは共に前記回転支点との第一距離を有することとを含む。
【００３９】
［１１］．実施形態１０に記載の電子装置によれば、ブラケットを更に備え、前記外部は取り外し可能バックルを更に含む。前記回転支点は前記平面上での前記第一距離に基づいて第一円周を有する第一円形を描写させ、且つ前記第一ハンガー及び前記第二ハンガーは前記第一円周に設置される。前記取り外し可能バックルは前記回転支点との距離が前記第一距離に等しいかそれより大きい位置に設置され、且つ前記回転支点、前記第一ハンガー、前記第二ハンガー、及び前記取り外し可能バックルの設置位置により共平面の四辺形が形成される。前記ブラケットは対応し合う第一面及び第二面を含み、且つ前記ブラケットは前記回転支点、前記取り外し可能バックル、前記第一ハンガー、及び前記第二ハンガーに対応する位置にスロットを具備する。前記第一面は固着物に固定され、前記ハウジングは前記回転支点を円心として、回転方式により前記ハウジングの前記少なくとも１つの平面及び前記ブラケットの前記第二面を固定させるように係合させる。前記取り外し可能バックルは前記少なくとも１つの平面及び前記第二面が固定されるように係合された後、前記ハウジングが取り外される前に、前記少なくとも１つの平面と前記第二面との間の相対移動を防止させるために用いられる。
【００４０】
［１２］．電子装置に適用するハウジングであって、
中心点を有する外平面と、
前記外平面上に設置され、且つ前記中心点とは相違する回転支点と、
各組が１つまたは２つのフック構造を具備する複数組のハンガーであって、各組のハンガーが具備する各前記フック構造及び前記回転支点は特定の距離を有することとを備える。
【００４１】
［１３］．本考案に係るブラケット組立は、
表面を有する電子装置のハウジングと、
前記表面に形成される第一係合部材と、
前記表面に形成される第二係合部材であって、前記第一係合部材及び前記第二係合部材は特定の円周軌道上に位置されることと、
固着物に固着させるために用いられるブラケットと、
前記ブラケットに形成され、且つ前記第一係合部材と共に第一対の係合部材組立を形成させる第三係合部材と、
前記ブラケットに形成され、且つ前記第二係合部材と共に第二対の係合部材組立を形成させる第四係合部材とを備える。
【００４２】
［１４］．実施形態１３に記載のブラケット組立によれば、取り外し可能バックル、第五係合部材、及び回転支点を更に備える。前記取り外し可能バックルは前記表面に形成され、前記第五係合部材は前記ブラケットに形成され、前記取り外し可能バックル及び前記第五係合部材により第三対の係合部材組立が形成される。前記回転支点は前記表面に形成され、前記第一係合部材及び前記第二係合部材は共に前記回転支点との第一距離を有する。前記第一係合部材は第一フック構造を有し、前記第二係合部材は第二フック構造を有する。前記取り外し可能バックルは押圧された後に内縮する弾性ほぞを含む。前記第三係合部材、前記第四係合部材、及び前記第五係合部材はそれぞれ前記第一フック構造、前記第二フック構造、及び前記弾性ほぞの第一スロット、第二スロット、第三スロットにそれぞれ係合される。また、前記固着物は壁または天井である。
【００４３】
［１５］．本考案に係る電子装置用ハウジングは、
前ハウジングと、
前記前ハウジングと共に閉鎖ハウジングを形成させ、且つ表面を有する後ハウジングと、
前記表面に形成される第一係合部材と、
前記表面に形成される第二係合部材であって、前記第一係合部材及び前記第二係合部材は特定の円周軌道上に位置されることとを備える。
【００４４】
［１６］．実施形態１５に記載の電子装置用ハウジングによれば、第三係合部材を有する位置決め装置及び回転支点を更に備える。前記位置決め装置及び前記回転支点は前記表面に形成され、前記第一係合部材及び前記第二係合部材は共に前記回転支点との第一距離を有する。ブラケットは対応し合う第一面及び第二面を有し、前記第一面は固着物に固定され、前記電子装置のハウジングは前記第二面に固結される。前記第一係合部材は第一フック構造を有し、前記第二係合部材は第二フック構造を有する。前記第三係合部材は押圧された後に内縮される弾性ほぞであり、前記第二面は前記第一フック構造、前記第二フック構造、及び前記弾性ほぞに対応するように係合される第一スロット、第二スロット、第三スロットを有する。
【００４５】
［１７］．本考案に係るブラケットは、
固着物に固着させるために用いられるブラケット本体と、
前記ブラケット本体に形成される第一係合部材と、
前記ブラケット本体に形成される第二係合部材であって、前記第一係合部材及び前記第二係合部材は特定の円周軌道上に位置されることとを備える。
【００４６】
［１８］．実施形態１７に記載のブラケットによれば、第三係合部材を更に備える。前記第一係合部材、前記第二係合部材、前記第三係合部材は第一スロット、第二スロット、第三スロットである。前記ブラケットは電子装置のハウジングを固装させるために用いられ、前記電子装置のハウジングは第一フック構造を有する第四係合部材と、第二フック構造を有する第五係合部材と、弾性ほぞを有する第六係合部材及び回転支点と、中心を有する表面とを備える。前記第四係合部材、前記第五係合部材、前記第六係合部材、及び前記回転支点は前記表面に形成され、前記第四係合部材及び前記第五係合部材は共に前記回転支点との第一距離を有する。前記第六係合部材は位置決め装置であり、前記第四係合部材、前記第五係合部材、及び前記第六係合部材は前記第一スロット、前記第二スロット、前記第三スロットにそれぞれ対応するように固結される。また、前記回転支点及び前記中心は互いに重畳しない。
【００４７】
総合すると、本考案の電子装置及び前記電子装置の装設に用いられる回転式のブラケットは、前記電子装置の回転支点が前記電子装置のハウジングの中心点に位置されず、前記ハウジングは第一ハンガー及び第二ハンガーを備える。前記第一ハンガー及び前記第二ハンガーは共に前記回転支点との第一距離を有し、回転方式により前記ブラケットの第一スロット及び第二スロットに対応するように固装される。これにより、施工者が前記電子装置の前記ハウジング及び前記ブラケットを容易に懸架及び係合可能になる。よって、確実に進歩性及び新規性を有する。
【００４８】
以上、本考案の実施形態について図面を参照して詳述したが、具体的な構成はこの実施形態に限られるものではなく、本考案の要旨を逸脱しない範囲の設計変更等も含まれる。
【符号の説明】
【００４９】
１  電子装置
１０  ハウジング
１０１  外部
１０１１  平面
１０１１１  中心点
１０１２  回転支点
１０１２１  突出構造
１０１３  第一ハンガー
１０１３１  第一フック構造
１０１４  第二ハンガー
１０１４１  第二フック構造
１０１５  第三ハンガー
１０１５１  第三フック構造
１０１６  第四ハンガー
１０１６１  第四フック構造
１０１７  取り外し可能バックル
１０１７１  弾性ほぞ
１１  ブラケット
１１１  第一スロット
１１２  第二スロット
１１３  第三スロット
１１４  第四スロット
１１５  第五スロット
１１６  第六スロット
【図１（ａ）】
0003215676.tif 000003
【図１（ｂ）】
0003215676.tif 000004
【図１（ｃ）】
0003215676.tif 000005
【図１（ｄ）】
0003215676.tif 000006
【図２】
0003215676.tif 000007
【図３（ａ）】
0003215676.tif 000008
【図３（ｂ）】
0003215676.tif 000009
【図３（ｃ）】
0003215676.tif 000010
【図３（ｄ）】
0003215676.tif 000011
【図４（ａ）】
0003215676.tif 000012
【図４（ｂ）】
0003215676.tif 000013